(57)【要約】【課題】高集積度、低複雑度、低電力消費、小面積のＵＷＢ周波数合成器を提供する。【解決手段】周波数合成器は、電圧制御信号に基づいて発振周波数を生成する電圧制御発振器と、第一分周器で発振周波数を偶数で分周して第一分周信号として生成し、第一分周信号に基づいて電圧制御信号を生成する位相ロックループシステムと、発振周波数を偶数で分周して第二分周信号及び第三分周信号として生成する第二分周器と、第二分周信号と第三分周信号を混合して第一混合信号として生成する第一単側波帯ミクサーと、サブバンド第一選択信号に基づいて第一混合信号と第一分周信号を混合して第二混合信号として生成する第二単側波帯ミクサーと、サブバンド第二選択信号に基づいて第一混合信号または第二混合信号を選択的に出力するマルチプレクサーとを含む。【選択図】図３
2008283659.tif 000002
【特許請求の範囲】
【請求項１】
周波数ホッピングシステムに用いられる周波数合成器であって、
電圧制御信号に基づいて発振周波数を生成する電圧制御発振器（ＶＣＯ）と、
第一分周器を備え、第一分周器で上記発振周波数を第一偶数で分周して第一分周信号として生成し、更に第一分周信号に基づいて上記電圧制御信号を生成するＰＬＬ（位相ロックループ）システムと、
ＶＣＯに結合され、上記発振周波数を第二偶数で分周して第二分周信号及び第三分周信号として生成する第二分周器と、
第二分周器に結合され、第二分周信号と第三分周信号を混合して第一混合信号として生成する第一単側波帯（ＳＳＢ）ミクサーと、
ＰＬＬシステムと第一ＳＳＢミクサーに結合され、サブバンド第一選択信号に基づいて第一混合信号と第一分周信号を混合して第二混合信号として生成する第二ＳＳＢミクサーと、
第一ＳＳＢミクサーと第二ＳＳＢミクサーに結合され、サブバンド第二選択信号に基づいて第一混合信号または第二混合信号を選択的に出力するマルチプレクサーとを含むことを特徴とする周波数合成器。
【請求項２】
前記ＰＬＬシステムは更に、
前記ＶＣＯに結合され、電圧制御信号を出力する第一出力端と、
第一分周ユニットと第二ＳＳＢミクサーに結合され、第一分周信号を第二ＳＳＢミクサーに出力する第二出力端と、
前記ＶＣＯと第一分周器に結合され、発振周波数を受信して第一分周器に送る入力端と、
第一分周器に結合され、第一分周信号を分周してフィードバック周波数として生成する第三分周器と、
上記第三分周器と第一出力端に結合され、フィードバック周波数と基準周波数に基づいて電圧制御信号を生成するＰＬＬ回路とを含むことを特徴とする請求項１記載の周波数合成器。
【請求項３】
前記第三分周器は第一分周信号を８で分周して周波数約６６ＭＨｚのフィードバック周波数として生成することを特徴とする請求項２記載の周波数合成器。
【請求項４】
前記第一分周器は発振周波数を１０で分周することを特徴とする請求項１記載の周波数合成器。
【請求項５】
前記第一分周器は、
前記発振周波数を５で分周して第一中心周波数として生成する第一分周ユニットと、
前記第一中心周波数を２で分周して第一分周信号として生成する第二分周ユニットとを含むことを特徴とする請求項１記載の周波数合成器。
【請求項６】
前記第二分周器は発振周波数を２で分周して第二分周信号として生成することを特徴とする請求項１記載の周波数合成器。
【請求項７】
前記第二分周器は発振周波数を４で分周して第三分周信号として生成することを特徴とする請求項１記載の周波数合成器。
【請求項８】
前記第二分周器は、
前記ＶＣＯに結合され、発振周波数を受信する入力端と、
前記第一ＳＳＢミクサーに結合され、第二分周信号を出力する第一出力端と、
前記第一ＳＳＢミクサーに結合され、第三分周信号を出力する第二出力端と、
前記発振周波数を２で分周して第二分周信号として生成する第一分周ユニットと、
前記第一分周器と第二出力端に結合され、第二分周信号を２で分周して第三分周信号として生成する第二分周ユニットとを含むことを特徴とする請求項１記載の周波数合成器。
【請求項９】
前記第二ＳＳＢミクサーは第一混合信号と第一分周信号の周波数を加算または減算し、第二混合信号の周波数を生成することを特徴とする請求項１記載の周波数合成器。
【請求項１０】
前記発振周波数は５２８０ＭＨｚであることを特徴とする請求項１記載の周波数合成器。
【請求項１１】
前記第一分周信号は第一同相信号（Ｉ信号）と第一直交信号（Ｑ信号）を含むことを特徴とする請求項１記載の周波数合成器。
【請求項１２】
前記第一同相信号と第一直交信号の周波数は約５２８ＭＨｚであることを特徴とする請求項１１記載の周波数合成器。
【請求項１３】
前記第二分周信号は第二同相信号（Ｉ信号）と第二直交信号（Ｑ信号）を含むことを特徴とする請求項１記載の周波数合成器。
【請求項１４】
前記第二同相信号と第二直交信号の周波数は２６４０ＭＨｚであることを特徴とする請求項１３記載の周波数合成器。
【請求項１５】
前記第三分周信号は第三同相信号（Ｉ信号）と第三直交信号（Ｑ信号）を含むことを特徴とする請求項１記載の周波数合成器。
【請求項１６】
前記第三同相信号と第三直交信号の周波数は１３２０ＭＨｚであることを特徴とする請求項１５記載の周波数合成器。
【請求項１７】
前記第一混合信号の周波数は３９６０ＭＨｚであることを特徴とする請求項１記載の周波数合成器。
【請求項１８】
前記第二混合信号の周波数は３４３２ＭＨｚまたは４４８８ＭＨｚであることを特徴とする請求項１記載の周波数合成器。
【請求項１９】
前記ＰＰＬシステムは第一分周信号を分周して第一周波数として生成し、更に第一周波数を内部の基準周波数と比較して電圧制御信号を生成することを特徴とする請求項１記載の周波数合成器。
【発明の詳細な説明】
【技術分野】
【０００１】
本発明は周波数合成器に関し、特に周波数ホッピングシステムに用いられる周波数合成器に関する。
【背景技術】
【０００２】
無線通信システムでは、トランシーバーは周波数合成器で帯域の異なる搬送周波数（中心周波数とも称する）を生成し、これに基づいて無線信号を送受信する。例えば次世代のＵＷＢ（超広帯域）通信システムは、多帯域ＯＦＤＭ（直交周波数分割多重）と周波数ホッピング方式を結合して通信を行う。IEEE 802.15.3aなどの通信プロトコルによれば、ＵＷＢは５つの帯域モードを有し、そのうち第一帯域モードは帯域幅５２８ＭＨｚのサブバンドを３本備え、その中心周波数はそれぞれ３４３２ＭＨＺ、３９６０ＭＨｚ、４４８８ＭＨｚである。多帯域ＯＤＦＭは時間・周波数インターリービング方式でＯＤＦＭシンボルを受発信する。すなわち、シンボル受信時、システムは３つのサブバンドで交代で動作する。各シンボルの長さ３１２．５ｎｓとされる。換言すればシステムは３１２．５ｎｓごとに１個のシンボルを送信／受信して周波数ホッピングを完成させ、そのうち周波数ホッピング（例えば３９６０ＭＨｚから４４８８ＭＨｚに変更する）は９．５ｎｓ以内に完成しなければならない。したがって、ＵＷＢシステムに用いられる周波数合成器は、３本のサブバンドの中心周波数をすべてカバーし、かつ９．５ｎｓ以内に周波数ホッピングを完成させなければならない。
【０００３】
従来の周波数合成器において、位相ロックループ（ＰＬＬ）の周波数変更の収束時間はＰＬＬの帯域幅によって決められる。収束時間を９．５ｎｓ以下に抑えようとすれば、ＰＬＬの帯域幅は１００ＭＨｚにしなければならない。また、ＰＬＬの安定性を保持するため、ＰＬＬに用いる基準周波数はその帯域幅の１０倍以上にしなければならない。そのため、ＵＷＢシステムに用いる従来の周波数合成器は１ＧＨｚ以上の基準周波数を持たなければならず、コスト面から見れば実現しにくいものである。
【０００４】
上記問題の解決策は数多く提案されている。例えば、国際固体回路会議ISSCC
2005 Sec 11.9 p.216-218は、互いに独立した３組のＰＬＬと電圧制御発振器（ＶＣＯ）で周波数３４３２ＭＨｚ、３９６０ＭＨｚ、４４８８ＭＨｚの搬送波信号をそれぞれ生成する周波数合成器を提案している。このような周波数合成器はＰＬＬの周波数変換を待つ必要がないが、３組のＰＬＬを同時に利用するため大量の電力と大きなチップ面積を要し、経済的ではない。
【０００５】
そのほか、ＩＥＥＥ固体回路雑誌JSSC 2005 Aug.
p.1671-1679は、互いに独立した２組のＰＬＬとマルチプレクサーからなる周波数合成器を提案している。同提案は、マルチプレクサーがＰＬＬのいずれかを選ぶたび、選ばれない他方のＰＬＬが周波数変換を行う。このようなパイプライン式処理は周波数合成器の変換時間を９．５ｎｓから３１２．５ｎｓに延長することができるが、２組のＰＬＬは２倍の電力とチップ面積を要するほか、ＰＬＬとＶＣＯごとに３本のサブバンドをカバーしなければならないため、回路の簡素化には不向きである。
【０００６】
それ以外、１組のＰＬＬとＶＣＯに単側波帯（ＳＳＢ）ミクサーを合わせて３つの搬送波信号を生成するという、論理的に最も簡素化された構造も提案されている。図１を参照する。図１は従来の周波数合成器１０を表す説明図である。周波数合成器１０は前記３本のサブバンドの中心周波数を生成する装置であり、ＶＣＯ１１と、ＰＬＬ回路１２と、分周器１４と、ＳＳＢミクサー１６と、マルチプレクサー（ＭＵＸ）１８を含む。ＶＣＯ１１とＰＬＬ回路１２は周波数ｆ１（３９６０ＭＨｚ）のＩ／Ｑ（同相直交）信号を生成し、分周器１４はｆ１を７．５で分周して周波数ｆ２（５２８ＭＨｚ）のＩ／Ｑ信号を生成し、ＳＳＢミクサー１６はｆ１とｆ２を相乗して周波数３４３２ＭＨｚと４４８８ＭＨｚの搬送波信号を生成し、更に制御信号ＳＣ１に基づいてそのいずれかを選んで周波数ｆ３として出力する。ＭＵＸ１８は制御信号ＳＣ２に基づいて周波数ｆ１（３９６０ＭＨｚ）またはｆ３（３４３２ＭＨｚまたは４４８８ＭＨｚ）のいずれかを選んで出力する。しかし、分周器１４の係数７．５は整数ではないため、位相差９０度のＩ／Ｑ信号を生成しにくい。それを改善するため回路を増設しなければならず、不便である。
【０００７】
また、イメージ信号抑制能力はＳＳＢミクサーの性能を判断する重要な基準である。イメージ信号が高すぎると、発信端の不要波（spur）により受信端の信号対雑音比（ＳＮ比）は低下しかねない。イメージ信号抑制能力を向上させるため、ミクサーに入力するＩ／Ｑ信号を理想的（信号強度が同じ、位相差が９０度）にすることが必要である。これは当業者に周知されているため、詳しい説明は省略とする。しかし、高周波数の応用では理想的なＩ／Ｑ信号が生成しにくいため、混合後のイメージ信号を除去するにはＳＳＢミクサーに狭帯域フィルターを増設しなければならない。イメージ信号除去の難易度はＱ指数によって示され、ここでＱ指数＝混合後の主信号／（主信号とイメージ信号の周波数差）とする。例えば図１に示すＳＳＢミクサー１６のＱ指数は（ｆ１＋ｆ２）／（２×ｆ２）＝４．２５である。Ｑ指数が高ければ、イメージ信号を除去するにはＱ値の高い狭帯域フィルターをＳＳＢミクサーに設けなければならない。Ｑ値の高いフィルターは設計しにくいため、回路を設計するときはＱ値の低い応用に適する周波数を考慮すべきである。
【０００８】
図２を参照する。図２は従来の周波数合成器２０を表す説明図である。周波数合成器２０はＶＣＯ２００と、ＰＬＬ回路２１０と、分周器２２０、２３０と、選択ユニット２４０と、ＳＳＢミクサー２５０、２６０を含む。図２に示すように、ＶＣＯの発振周波数は４．２２４ＧＨｚであり、ミクサー２５０に入力される周波数は５２８ＭＨｚ及び２６４ＭＨｚである。したがって、ミクサー２５０のＱ指数は（５２８＋２６４）／（２×２６４）＝１．５である。ミクサー２６０に入力する周波数を４２２４ＭＨｚ及び２６４ＭＨｚとすれば、ミクサー２６０のＱ指数は（４２２４＋２６４）／（２×２６４）＝８となる。ミクサー２６０のＱ指数が高すぎるため、それに取り付ける狭帯域フィルターは設計しにくい。また、図２に示すように、Ｉ／Ｑ信号を生成するにはＶＣＯ２００に多相フィルター（ＰＰＦ）の増設が必要である。
【０００９】
上記問題を改善するため、アメリカ特許出願2006/0183455A1号は下記の周波数合成器を掲示している。同周波数合成器は、ＶＣＯと、複数の分周器と、ＰＰＦと、ＰＬＬと、ミクサーを含む。その動作について、まずＶＣＯで７９２０ＭＨｚの周波数を出力し、これを分周器で３９６０ＭＨｚ及び５２８ＭＨｚに分周し、更にＰＰＦで５２８ＭＨｚの周波数信号をＩ／Ｑ信号に変換してから、ミクサーで所要の搬送波周波数を生成する。同特許出願はミクサーのＱ指数を４に抑えることができるが、Ｉ／Ｑ信号を生成するにはＰＰＦを必要とするほか、ＶＣＯの周波数を８ＧＨｚという高い値にしなければならない。
【００１０】
したがって本発明は、低複雑度・低電力消費で所要面積が小さいＵＷＢ周波数合成器の開発を目的とする。
【発明の開示】
【発明が解決しようとする課題】
【００１１】
本発明は高集積度、低複雑度、低電力消費、小面積のＵＷＢ周波数合成器を提供することを課題とする。
【課題を解決するための手段】
【００１２】
本発明は周波数ホッピングシステムに用いられる周波数合成器を提供する。該周波数合成器は、電圧制御信号に基づいて発振周波数を生成する電圧制御発振器（ＶＣＯ）と、第一分周器を備え、第一分周器で上記発振周波数を１０で分周して第一分周信号として生成し、更に第一分周信号に基づいて上記電圧制御信号を生成するＰＬＬ（位相ロックループ）システムと、ＶＣＯに結合され、上記発振周波数を２で分周して第二分周信号及び第三分周信号として生成する第二分周器と、第二分周器に結合され、第二分周信号と第三分周信号を混合して第一混合信号として生成する第一単側波帯（ＳＳＢ）ミクサーと、ＰＬＬシステムと第一ＳＳＢミクサーに結合され、サブバンド第一選択信号に基づいて第一混合信号と第一分周信号を混合して第二混合信号として生成する第二ＳＳＢミクサーと、第一ＳＳＢミクサーと第二ＳＳＢミクサーに結合され、サブバンド第二選択信号に基づいて第一混合信号または第二混合信号を選択的に出力するマルチプレクサーとを含む。
【発明の効果】
【００１３】
本発明は１組のＶＣＯ、ＰＬＬ回路及び２組のＳＳＢミクサーからなる周波数合成器を提供する。本発明による周波数合成器はＳＳＢミクサーとＰＬＬ回路の電力消費が低く、分周器のみでイメージ周波数成分を除去でき、ＳＳＢミクサーに狭帯域フィルターを増設することを必要としないため、高集積度、低複雑度、低電力消費、小面積などの特長を有する。
【発明を実施するための最良の形態】
【００１４】
かかる装置の特徴を詳述するために、具体的な実施例を挙げ、図を参照にして以下に説明する。
【００１５】
図３を参照する。図３は本発明による周波数ホッピングシステムに用いられる周波数合成器３００を表す説明図である。説明を簡素化するため、下記周波数合成器３００をＵＷＢの第一帯域モードで作動して、中心周波数３４３２ＭＨｚ、３９６０ＭＨｚ、４４８８ＭＨｚを生成する装置とする。周波数合成器３００はＶＣＯ３１０と、ＰＬＬシステム３２０と、第二分周器３４０と、第一ＳＳＢミクサー３５０と、第二ＳＳＢミクサー３６０を含む。ＶＣＯ３１０は電圧制御信号ＶＣＴＲＬに基づいて周波数５２８０ＭＨｚの発振周波数ｆｏｃを生成する。第一分周器３３０を備えるＰＬＬシステム３２０は、第一分周器３３０で発振周波数ｆｏｃを１０で分周して第一分周信号ｆｄ１として生成し、更に第一分周信号ｆｄ１を分周して、その結果を内部基準周波数と比較して電圧制御信号ＶＣＴＲＬを生成し、これに基づいてＶＣＯ３１０の発振周波数ｆｏｃを５２８０ＭＨｚに維持する。ＶＣＯ３１０に結合される第二分周器３４０は発振周波数ｆｏｃを２、４で分周し、それぞれ第二分周信号ｆｄ２と第三分周信号ｆｄ３として生成する。偶数による分周に基づき、第一分周器３３０はＩ／Ｑ信号を含む第一分周信号ｆｄ１を、第二分周器３４０はＩ／Ｑ信号を含む第二分周信号ｆｄ２と第三分周信号ｆｄ３を容易に生成できる。上記第一分周信号ｆｄ１のＩ／Ｑ信号周波数は５２８ＭＨｚであり、第二分周信号ｆｄ２のＩ／Ｑ信号周波数は２６４０ＭＨｚであり、第三分周信号ｆｄ３のＩ／Ｑ信号周波数は１３２０ＭＨｚである。第二分周器３４０に結合される第一ＳＳＢミクサー３５０は、第二分周信号ｆｄ２と第三分周信号ｆｄ３を混合して周波数３９６０ＭＨｚの第一混合信号ｆｍ１として生成し、ＰＬＬシステム３２０の第一分周器３３０と第一ＳＳＢミクサー３５０に結合される第二ＳＳＢミクサー３６０は、サブバンド第一選択信号ＢＳ０に基づいて第一混合信号ｆｍ１と第一分周信号ｆｄ１を混合して第二混合信号ｆｍ２として生成する。詳しく言えば、第二ＳＳＢミクサー３６０はサブバンド第一選択信号ＢＳ０に基づいて第一混合信号ｆｍ１と第一分周信号ｆｄ１の周波数を加算または減算し、周波数４４８８ＭＨｚまたは３４３２ＭＨｚの第二混合信号ｆｍ２を出力する。ＭＵＸ３７０はサブバンド第二選択信号ＢＳ１に基づいて第一混合信号ｆｍ１か第二混合信号ｆｍ２を選択的に出力する。したがって、周波数合成器３００は３４３２ＭＨｚ、３９６０ＭＨｚ、４４８８ＭＨｚの出力周波数ｆｏ１、ｆｏ２、ｆｏ３、すなわち第一帯域モードにおける３本のサブバンドの中心周波数を生成できる。例えば、周波数合成器３００で周波数ｆｏ１（３４３２ＭＨｚ）を出力する場合、第二ＳＳＢミクサー３６０はサブバンド第一選択信号ＢＳ０に基づいて第一混合信号ｆｍ１と第一分周信号ｆｄ１を減算し、ＭＵＸはサブバンド第二選択信号ＢＳ１に基づいて第二混合信号ｆｍ２を選んで出力する。第一ＳＳＢミクサー３５０と第二ＳＳＢミクサー３６０で行われる周波数計算は当業者に周知されているため、詳しい説明は省略とする。
【００１６】
図４を参照する。図４は図３に示すＰＬＬシステム３２０の内部構造を表す説明図である。ＰＬＬシステム３２０は出力端ＯＰ１と、出力端ＯＰ２と、入力端ＩＮ１と、ＰＬＬ回路４００と、第一分周器３３０と、第三分周器４１０を含む。出力端ＯＰ１は制御電圧信号ＶＣＴＲＬをＶＣＯ３１０に出力し、出力端ＯＰ２は第一分周信号ｆｄ１を第二ＳＳＢミクサー３６０に出力し、入力端ＩＮ１はＶＣＯ３１０から発振周波数ｆｏｃを受信する。第三分周器４１０は第一分周器３３０による第一分周信号ｆｄ１を８で分周してフィードバック周波数ｆｂとして生成する。ＰＬＬ４００はフィードバック周波数ｆｂと内部の基準周波数ｆｒｅｆに基づいて電圧制御信号ＶＣＴＲＬを生成し、ＶＣＯ３１０の動作周波数を５２８０ＭＨｚに維持する。基準周波数ｆｒｅｆ（本実施例では６６ＭＨｚとする）はＰＬＬ回路４００内の石英発振器により生成され、ＰＬＬ回路４００はフィードバック周波数ｆｂと基準周波数ｆｒｅｆを比較して電圧制御信号ＶＣＴＲＬを生成し、これでＶＣＯ３１０を制御する。これは当業者に周知されているため、詳しい説明は省略とする。
【００１７】
図５を参照する。図５は図３に示すＰＬＬシステム３２０の第一分周器３３０の内部構造を表す説明図である。分周ユニットＦＤ１、ＦＤ２からなる第一分周器３３０は発振周波数ｆｏｃを１０で分周し、そのうち分周ユニットＦＤ１は発振周波数ｆｏｃを５で分周して周波数ｆｄｄとして生成し、分周ユニットＦＤ２は周波数ｆｄｄを２で分周して、Ｉ／Ｑ信号を含んだ周波数５２８ＭＨｚの第一分周信号ｆｄ１として生成する。図６を参照する。図６は図３に示す第二分周器３４０の内部構造を表す説明図である。第二分周器３４０は入力端ＩＮ２と、出力端ＯＰ３、ＯＰ４と、分周ユニットＦＤ３、ＦＤ４を含む。入力端ＩＮ２はＶＣＯ３１０から発振周波数ｆｏｃを受信し、出力端ＯＰ３、ＯＰ４はそれぞれ第二分周信号ｆｄ２と第三分周信号ｆｄ３を第一ＳＳＢミクサー３５０に出力する。分周ユニットＦＤ３は発振周波数ｆｏｃを２で分周して、Ｉ／Ｑ信号を含んだ周波数２６４０ＭＨｚの第二分周信号ｆｄ２として生成し、分周ユニットＦＤ４は第二分周信号ｆｄ２を２で分周して、Ｉ／Ｑ信号を含んだ周波数１３２０ＭＨｚの第三分周信号ｆｄ３として生成する。
【００１８】
したがって、第一ＳＳＢミクサー３５０のＱ指数は（２６４０＋１３２０）／（２×１３２０）＝１．５であり、第二ＳＳＢミクサー３６０のＱ指数は（３９６０＋５２８）／（２×５２８）＝４である。そのため、周波数合成器３００はＱ指数の低い狭帯域フィルターのみでイメージ周波数成分を除去でき、Ｑ値の高いフィルターを必要としない。また、各分周信号のＩ／Ｑ信号を生成するにはＰＦＦが不要とされ、第一分周器３３０と第二分周器３４０で発振周波数ｆｏｃを偶数で分周するのみで所要の信号を生成できる。本発明は偶数による分周を採用するため、第一分周器３３０と第二分周器３４０に複雑な回路を設けなくともデューティーサイクル５０％、位相差９０度かつ同一の周波数を有するＩ／Ｑ信号を生成できる。
【００１９】
注意すべきは、上記第一分周器３３０と第二分周器３４０の数量と分周率はシステムによって変更することができる。また、上記ＶＣＯ、分周器の数量と分周率はＵＷＢシステムの第一帯域モードを前提にして定められたものであり、本発明を限定するものではない。
【００２０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２１】
本発明は分周器の数量と分周率を適切に設定することを内容とし、実施可能である。
【図面の簡単な説明】
【００２２】
【図１】従来の周波数合成器を表す説明図である。
【図２】その他従来の周波数合成器を表す説明図である。
【図３】本発明による周波数ホッピングシステムに用いられる周波数合成器を表す説明図である。
【図４】図３に示すＰＬＬシステムの内部構造を表す説明図である。
【図５】図３に示すＰＬＬシステムの第一分周器の内部構造を表す説明図である。
【図６】図３に示す第二分周器の内部構造を表す説明図である。
【符号の説明】
【００２３】
１０、２０、３００        周波数合成器
１１、２００、３１０      ＶＣＯ
１２、２１０、４００        ＰＬＬ回路
１４、２２０、２３０、４１０  分周器
１６、２５０、２６０        ミクサー
１８、３７０                マルチプレクサー
２４０                      選択ユニット
３２０                      ＰＬＬシステム
３３０                      第一分周器
３４０                      第二分周器
３５０                      第一ＳＳＢミクサー
３６０                      第二ＳＳＢミクサー
ＢＳ０                      サブバンド第一選択信号
ＢＳ１                      サブバンド第二選択信号
ｆ１〜ｆ３、ｆｄｄ          周波数
ＦＤ１〜ＦＤ４              分周ユニット
ｆｄ１                      第一分周信号
ｆｄ２                      第二分周信号
ｆｄ３                      第三分周信号
ｆｍ１                      第一混合信号
ｆｍ２                      第二混合信号
ｆｏ１〜ｆｏ３              出力周波数
ｆｏｃ                      発振周波数
ＩＮ１、ＩＮ２              入力端
ＯＰ１〜ＯＰ４              出力端
ＳＣ１、ＳＣ２              制御信号
ＶＣＴＲＬ                  電圧制御信号
【図１】
2008283659.tif 000003
【図２】
2008283659.tif 000004
【図３】
2008283659.tif 000005
【図４】
2008283659.tif 000006
【図５】
2008283659.tif 000007
【図６】
2008283659.tif 000008